(57)【要約】   【課題】  排尿処理具は陰茎包被具と、蓄尿バッグとからなるが、蓄尿バッグは脚部を疲労させ、陰茎包被具はサイズ毎のものを要し、且つ使い捨てのため頻繁に交換することが必要であり不便なものである。  【解決手段】    陰茎形状の筒体であつて陰茎の茎部相当部から亀頭相当部分の半ばまでを長手方向へ半載し、亀頭相当部の先端部分に硬質の筒状凸部を一体成形し、茎部相当部と亀頭相当部の境界付近の内面に尿の逆流を阻止するダム壁を周設した内包部材１と、茎部相当部と亀頭相当部を包被する外包部材２を内包部材に接着すると共に外包部材の両側縁に糊代を設けサイズ調整ができる陰茎包被具３を形成し、パンツ４に収容する蓄尿バッグ５に接続した連結チューブを逆洩れ防止材を取り付けた筒状凸部に被せ、蓄尿バッグに排泄チューブを連結した。  【選択図】  図２
2007143718.tif 000002
【特許請求の範囲】
【請求項１】
合成ゴム材製又はシリコン樹脂材製の柔軟で適度の厚みを有する素材を用い、陰茎形状の筒体であつて陰茎の茎部相当部から亀頭相当部の半ばまで筒体を長手方向へ半截すると共に、亀頭相当部の先端部分を本体より硬質の筒状凸部に一体成形し、茎部相当部と亀頭相当部の境界近辺の内面に尿の逆流を阻止するダム壁を周設すると共に茎部相当部の下方に紐通し孔を開けて内包部材を形成し、
内包部材よりも稍硬く且つ薄手の合成ゴム材製又はシリコン樹脂材製の素材を用い、内包部材の茎部相当部と亀頭相当部に包被する外包部材を形成し、外包部材の内面に人体に無害な接着剤を塗布して内包部材を一体に張り合わせると共に外包部材の両側縁に糊代を設けて陰茎包被具を形成し、パンツ内に収容する蓄尿バッグ内に筒状の連結チューブを一体に接続すると共にコンドームゴム材製で両端を開放した尿の逆洩れ防止材を連結チューブに被せて開放端を蓄尿バッグ内に臨ませ、内包部材に設けた筒状凸部を連結チューブの突出部と連結し、蓄尿バッグに溜まった尿を排尿する排泄チューブを蓄尿バッグと一体に取り付けると共に排泄チューブに尿の流通と閉塞を自在に操作するレバーを有するピンチ部材を設けて成る男性用尿取り具。
【請求項２】
パンツを股上み部を深く且つ前部を膨らませ成形した請求項１記載の男性用尿取り具。    
【発明の詳細な説明】
【技術分野】
【０００１】
本発明は男性用尿取り具に関する。
【背景技術】
【０００２】
１．前立線がん等の手術を受けた人や寝たきりの人のように自律的な排尿が困難な人々の男性用尿取り具として、図５に示すように上部に尿の導水チューブ１１と、下部にトイレへ流すレバー付き排泄チューブ１２を取り付けている蓄尿バッグ１３を日常の行動に応じて該者の下腿又は大腿にバンド１４を巻付けて装着すると共に、皮膚に優しい低アレルギー性接着剤を内面に塗布し或は皮膚保護剤付きテープを付したサイズ別の包被具１５を陰茎に被せ、包被具１５と導水チューブ１１をコネクター１６を用いて接続している製品が市販されている。（商品名コンビーン  コロプラスト社製）
２．耐水性シートを素材とする、陰茎を収容可能な袋体の底部に吸水性部材を入れ、袋体の上部に多数の空気孔を、上部背面に陰茎挿入孔を設け、袋体の上端に腰巻用テープを設けた男性用尿取り具がある。
【０００３】
例えば
【特許文献１】特開２００２ー３０６５２５号公報
【発明の開示】
【発明が解決しようとする課題】
【０００４】
上記１．のように蓄尿バッグ１３を下腿に装着している場合、蓄尿バッグ１３の重みで脚部が引き吊り疲れ易く、包被具１５は使い捨て製品であり毎日交換（夏季には毎日２回交換）することを要すると共にトイレへ流すことが禁止されており又、包被具１５を取り外すとき皮膚に疼痛を感じる。
【０００５】
上記２．のものは陰茎挿入孔から袋体の中へ陰茎を収容するものであり、陰茎の根元を固定テープで縛っている。尿が漏れないように根元を固く縛ると尿が出にくくなり、緩く縛ると袋体が外れて下着を汚す恐れがある。
【課題を解決するための手段】
【０００６】
合成ゴム材製又はシリコン樹脂材製の、柔軟で適度の厚みを有する素材を用い、ほぼ陰茎形状の筒体であつて陰茎の茎部に相当する部分から亀頭に相当する部分の半ばまでを長手方向へ２分割すると共に、亀頭の尿排出孔に相当する部分を硬質の筒状凸部に一体成形し、該亀頭相当部の内面に尿の逆流を阻止するダム壁を周設すると共に茎部相当部の根元部位に紐挿通孔を設けて内包部材を形成する。
【０００７】
内包部材よりも稍硬く且つ薄手の合成ゴム材製又はシリコン樹脂材製の素材を用い、内包部材の茎部相当部と亀頭相当部を包被する矩形状の外包部材を成形し、外包部材の内面に人体に無害な接着剤を塗布して内包部材を一体的に張り合わせると共に外包部材の両側縁に糊代を設けて陰茎包被具を形成し、陰茎のサイズに合わせ外包部材の糊代を適当な巾に重ね合わせ前記接着剤を用いて接合し、紐挿通孔に通した紐を太腿に巻付け腰部へ縛り付ける。  
【０００８】
接着剤としては最近、紐なし乳房パットを人体へ貼り付ける接着用の糊材を用いる。
【０００９】
パンツ内に収容する薄手の蓄尿バッグの内部に筒状の連結チューブを水密に接続すると共にコンドーム素材で両端を開放した尿の逆洩れ防止材を連結チューブに被せて開放端を蓄尿バッグの内部に臨ませ、内包部材の尿排出孔相当部に設けている筒状凸部を連結チューブへ水密に差し込み、筒状凸部から排出され蓄尿バッグに溜まった尿が陰茎包被具へ逆洩れしないようにする。蓄尿バッグの下方に尿の排泄チューブを取り付け、そのチューブ端をパンツの開口部切れ目に臨ませると共に排泄チューブを圧迫し尿の流出を止水するピンチ部材を排泄チューブに開閉自在に設ける。
【００１０】
パンツは通常の商品形態に比べ股上み部を深く且つ前部を膨らませて蓄尿バッグが収容し易い形態に成形する。
【００１１】
本発明をこのように構成し、蓄尿バッグをパンツ内の前部に収容することにより脚部が疲労せず、陰茎包被具や蓄尿バッグからの尿の逆洩れがなく、陰茎包被具は多種類のサイズを用意する必要がなく洗浄して再使用でき、陰茎包被具の取り外し時に皮膚に疼痛感がなく、日常の行動時に蓄尿バッグに溜まった尿を排泄チューブから直接トイレへ流すことができる男性用尿取り具を提供することを目的とする。    
【発明の効果】
【００１２】
蓄尿バッグはパンツ内にコンパクトに収容できるため脚部に負担が加わらず、各自の陰茎サイズに自在に適合させることができる陰茎包被具の着脱は本人のみならず付き添い人にとつても簡単であると共に蓄尿バッグから尿洩れがしない。蓄尿バッグと陰茎包被具は洗浄して再使用でき、蓄尿バッグに溜まった尿を着用者自身が簡便にトイレへ流すことができる。また、寝たきり病人は陰茎包被具と蓄尿バッグの取り付け部分を外して、付き添い人が尿をトイレへ容易に流すことができる。また、蓄尿バッグと陰茎包被具は独立した別製品であり、使い古したものは別個に交換できる。
【発明を実施するための最良の形態】
【００１３】
図１は、本発明に係る内包部材と外包部材とから成る陰茎包被具を示す正面図であり、図２は排泄チューブを取り付けた蓄尿バッグに陰茎包被具を取り付ける状態を示す正面図であり、図３は排泄チューブを圧迫して尿溜めし、レバーの開放で放尿できるようにするピンチ部材を示す要部拡大正面図、図４ａは本発明の使用に最適なパンツを示す正面図、図４ｂは同、側面図、図５は公知製品の着用状態を示す説明図である。
【００１４】
図１において、合成ゴム材製又はシリコン樹脂材製の、柔軟で適度の厚みを有する素材を用い、陰茎形状の筒体であつて陰茎の茎部相当部１ａから亀頭相当部１ｂの半ばまで筒体を長手方向へ半截し、その截れ目を拡開し着用者の陰茎サイズに合わせ閉じ合わせて装着できるようにする。亀頭相当部１ｂの先端部を本体よりも硬質の素材を用いて筒状凸部１ｃに一体成形すると共に、亀頭相当部１ｂと茎部相当部１ａとの境界近辺の内面に尿の逆流を阻止するダム壁１ｄを周設して内包部材１を形成する。
【００１５】
内包部材１よりも薄手で且つ稍硬質の合成ゴム材製又はシリコン樹脂材製の方形素材であつて内包部材１の茎部相当部１ａと亀頭相当部１ｂを包被する外包部材２を形成し、外包部材２の内面に人体に無害な接着剤を塗布して内包部材１を張り合わせると共に、外包部材２の内外面の両側縁に糊代２ａを設けて排尿用の陰茎包被具３を形成する。  
【００１６】
接着剤としては最近、紐なし乳房パットの装着用に用いられている糊材を使用する。
【００１７】
パンツ４内に収容する蓄尿用の蓄尿バッグ５に、コンドームゴム材製の筒状で且つ両端を開放した薄手の尿の逆洩れ防止材７を水密に被せた弾靭性に富む連結チューブ６を蓄尿バッグ５内に一体的に取り付けると共に、連結チューブ６の外端部を蓄尿バッグ５から突出させ、内包部材１の筒状凸部１ｃを連結チューブ６へ着脱自在に連結し、筒状凸部１ｃから流出して蓄尿バッグ５に溜まった尿が陰茎包被具３へ逆洩れしないようにする。蓄尿バッグ５の排尿側に尿の排泄チューブ８を一体に取り付け、そのチューブ端をパンツ４の開口部切れ目４ａに臨ませると共に排泄チューブ８の流路を圧迫し尿の流出を閉塞するピンチ部材９を排泄チューブ８に取り付け、蓄尿バッグ６に溜まった尿がパンツ４内へ漏出しないようにすると共にピンチ部材９に、排泄チューブ８の流路の閉塞と開通を自在に操作するレバー９ａを取り付け、随時に着用者自身や付き添い人が排泄チューブ８を開通しトイレへ尿を流すことができる。
【００１８】
パンツ４は通常の商品形態に比べ股上み部を深く且つ前部を膨らませて蓄尿バッグ５を収容し易い形態に成形する。
【００１９】
陰茎包被具３の根元部に紐挿通孔３ａを設けて紐１０を挿通し、紐１０を太腿部から腰部へかけて縛り付け陰茎包被具３を確実に支持する。
【産業上の利用可能性】
【００２０】
高齢者社会の到来に伴い前立腺疾患罹病者や、病中病後の寝たきり男性患者に関連する排尿処理具は老人福祉のため介護を要する者のみならず、自身でも取り替えと放尿が可能なものが要請されているため市場性の有望な発明である。
【図面の簡単な説明】
【００２１】
【図１】本発明に係る内包部材と外包部材とから成る陰茎包被具を示す正面図。
【図２】排泄チューブを一体に取り付けた蓄尿バッグの連結チューブに陰茎包被具を取り付けた状態を示す正面図。
【図３】排泄チューブを圧迫し流路を閉塞して尿溜めし、レバーによる開通で放尿できるようにするピンチ部材を示す要部拡大正面図。
【図４】ａ  本発明の使用に最適なパンツを示す正面図。
【００２２】
ｂ  同、側面図。
【図５】公知製品の着用状態を示す説明図。
【符号の説明】
【００２３】
１  内包部材  
１ａ  茎部相当部  １ｂ  亀頭相当部  １ｃ  筒状凸部  １ｄ  ダム壁
２    外包部材      ３    陰茎包被具      ４  パンツ  
５    蓄尿バッグ    ６  連結チューブ    ７  逆洩れ防止材
８  排泄チューブ    ９  ピンチ部材    ９ａ  レバー          
【図１】
2007143718.tif 000003
【図２】
2007143718.tif 000004
【図３】
2007143718.tif 000005
【図４】
2007143718.tif 000006
【図５】
2007143718.tif 000007